(57)【要約】      （修正有）【課題】透明軟質フィルムが商品の表面にピッタリと密着した収納商品の形状を、台紙の両側に突出させることによって、ブリスター包装体を吊り下げて売り場に陳列したときにあたかもブリスターの窓枠の中央に商品が空中に浮遊しているように、商品の立体的形状を見せて、表側又は裏側からも明確に商品の立体形状を購入者に把握させ、商品のほぼ完全な３次元立体感によって、購買意欲を喚起することができる包装体を提供する。【解決手段】中央部に抜き穴を設けた長方形の台紙シート２の片面に透明軟質ウレタンフィルムが積層された２枚の外形及び抜き穴形が同形の台紙シートを透明軟質ウレタンフィルム側を内側にして重ね合わせ、台紙シートの周縁の積層を固定した積層台紙であって、該台紙の抜き穴部３の２枚の透明軟質ウレタンフィルムの間に、商品１を封入する様にしてブリスター包装体を構成する。【選択図】図１
0003152834.tif 000002
【実用新案登録請求の範囲】
【請求項１】
中央部に抜き穴を設けた長方形の台紙シートの片面に透明軟質ウレタンフィルムが積層された２枚の外形及び抜き穴形が同形の台紙シートを透明軟質ウレタンフィルム側を内側にして重ね合わせ、台紙シートの周縁の積層を固定した積層台紙であって、該台紙の抜き穴部の２枚の透明軟質ウレタンフィルムの間に、商品が封入されてなることを特徴とするブリスター包装体。
【請求項２】
台紙シートの周縁の積層及び抜き穴の周縁の積層を固定した積層台紙である請求項１に記載のブリスター包装体。
【請求項３】
２枚の同形の台紙シートが一枚の方形状台紙シートの中心線を折り曲げて形成したものである請求項１又は２に記載のブリスター包装体。
【請求項４】
抜き穴の周縁及び／又は台紙シートの周縁の積層を固定が熱溶着による固定である請求項１〜３のいずれかに記載のブリスター包装体。
【請求項５】
ブリスター包装体の積層台紙の対向する２辺に差し込み係止片を設けたブリスター包装体の差し込み係止片を、直方体ダンボール箱の側面に設けた差し込み係止スリットに差し込んで固定されてなる包装箱に用いるための差し込み係止片を設けた請求項１〜４のいずれかに記載のブリスター包装体。
【考案の詳細な説明】
【技術分野】
【０００１】
本考案は商品のブリスター包装体に関する。通常、ブリスター包装体とは、台紙の片方の面にかまぼこ型にブリスター（あぶく）が突出して、該ブリスターの内部に商品を収納したものをいうが、本考案は、台紙の両側に突出するブリスター部を有する特有の形状のブリスター包装体に関する。
【背景技術】
【０００２】
従来より小型の商品などは、ブリスター包装体として店頭に陳列展示されることが広く行われている（特許文献１）。
ブリスター包装体は、商品の外表面の形状に対応した形状の容器に商品を収納することによって、商品の形状が台紙面から立体的に飛び出しているので、商品の立体感の実感が需要者の購買意欲を喚起する点で好まれている。
しかし、ブリスター包装体の商品の形状の立体感は、商品の表側の形状にのみ限定されるので、商品前提としての立体感の実感は半減されている。
【先行技術文献】
【特許文献】
【０００３】
【特許文献１】特開２００６−１３１３０５号公報
【考案の概要】
【考案が解決しようとする課題】
【０００４】
本考案は、透明軟質フィルムが商品の表面にピッタリと密着した収納商品の形状を、台紙の両側に突出させることによって、ブリスター包装体を吊り下げて売り場に陳列したときにあたかもブリスターの窓枠の中央に商品が空中に浮遊しているように、商品の立体的形状を見せて、表側又は裏側からも明確に商品の立体形状を購入者に把握させ、商品のほぼ完全な３次元立体感によって、購買意欲を喚起することを目的とする。
そして、本考案の空中浮遊目的は、副次的に、軟質フィルムの弾力による商品の保持によって、台紙にかかる衝撃を緩和する緩衝効果も達成される。
その結果、本考案ブリスター包装体を、緩衝材なしのダンボール梱包に活用できる。
【課題を解決するための手段】
【０００５】
本考案者は、前記目的を達成するために鋭意研究を重ねた結果、台紙と、透明軟質ウレタンフィルムと、包装される商品とを用いて製作してなる特定構造の包装体により、その目的を達成し得ることを見出し、本考案を完成するに至った。
すなわち、本考案は、
（１）中央部に抜き穴を設けた長方形の台紙シートの片面に透明軟質ウレタンフィルムが積層された２枚の外形及び抜き穴形が同形の台紙シートを透明軟質ウレタンフィルム側を内側にして重ね合わせ、台紙シートの周縁の積層を固定した積層台紙であって、該台紙の抜き穴部の２枚の透明軟質ウレタンフィルムの間に、商品が封入されてなることを特徴とするブリスター包装体、
（２）台紙シートの周縁の積層及び抜き穴の周縁の積層を固定した積層台紙である上記(１)項に記載のブリスター包装体、
（３）２枚の同形の台紙シートが一枚の方形状台紙シートの中心線を折り曲げて形成したものである上記(１)又は(２)項に記載のブリスター包装体、
（４）抜き穴の周縁及び／又は台紙シートの周縁の積層を固定が熱溶着による固定である上記(１)〜(３)項のいずれかに記載のブリスター包装体、及び
（５）ブリスター包装体の積層台紙の対向する２辺に差し込み係止片を設けたブリスター包装体の差し込み係止片を、直方体ダンボール箱の側面に設けた差し込み係止スリットに差し込んで固定されてなる包装箱に用いるための差し込み係止片を設けた上記(１)〜(４)項のいずれかに記載のブリスター包装体、
を提供するものである。
【考案の効果】
【０００６】
本考案によれば、陳列時に、商品ががたつくことなく、台紙の両面から商品の表裏の外郭形状が突出してしっかりと台紙の抜き穴の位置に固定されているので、商品があたかも空中に浮遊しているように見える斬新な見栄えの包装体を提供することができる。
【図面の簡単な説明】
【０００７】
【図１】本考案の包装体の一例を示す平面図である。
【図２】図１におけるＡ−Ａ線断面図である。
【図３】本考案の包装体における吊下げ部形状の異なる例を示す図である。
【図４】本考案の包装体を製作する方法の一例を示す説明図である。
【図５】本考案の包装体を配送用段ボール箱内に装着するときの折り曲げ差し込み片の構造を示す斜視図。
【図６】本考案の包装体を配送用段ボール箱内に装着した状態を説明するための該包装体の斜視図と、蓋部が開放された状態の該段ボール箱の斜視図である。
【図７】本考案の包装体を、蓋部が開放された段ボール箱内に装着した状態を示す斜視図である。
【考案を実施するための形態】
【０００８】
本考案のブリスター包装体は、中央部に抜き穴部３を設けた２枚の長方形の台紙シート２、２'のそれぞれの片面に透明軟質ウレタンフィルム４が積層された同形の台紙シートを透明軟質ウレタンフィルム４側を内側にして重ね合わせ、同形同寸の抜き穴部３の台紙シートの周縁の熱溶着部６で固定されている積層台紙であって、該台紙の抜き穴部の２枚の透明軟質ウレタンフィルム４、４の間に商品が封入されてなるブリスター包装体である。
積層台紙の固定は、抜き穴の周縁の熱溶着部５にも施工するのが、収納商品の位置を正確に特定して、商品をしっかりと保持する点で望ましい。特に、積層台紙の周縁から抜き穴の周縁にかけて台紙全面を固定するのが、台紙の腰を強くすると共に、商品の固定位置を安定する観点から望ましい。
積層台紙の固定方法は特に制限はなく、接着剤、ホッチキス等のその他の常用の固定方法で施工できるが、本考案の軟質ウレタンフィルムを用いる場合は、積層台紙の外側から熱圧着するだけで、台紙−軟質ウレタンフィルム−軟質ウレタンフィルム−台紙の４層が接着剤なしで溶着するので、本考案の製造作業性の点から熱溶着がもっとも望ましい。
【０００９】
２枚の長方形の台紙シート２、２'の間の抜き穴の位置の両側の透明軟質ウレタンフィルム４によって鋏んで２枚の長方形の台紙シート２、２'を重ねて、抜き穴部３の周縁の熱溶着５及び台紙シートの周縁の熱溶着部６で固定すると、商品は、商品の外郭形状にピッタリと薄い透明軟質ウレタンフィルムが密着した形が、積層台紙の裏表側に突出して、商品が直に台紙から突出したかのように固定される。つまり、商品が台紙の抜き穴の位置に、宙に浮かんでいるように固定される。
通常の硬質プラスチックシート製のブリスター部の場合は、商品とブリスター部との間に空間が生じて、収納商品は、台紙に特別の固定手段を講じない限り、ブリスター容器内で、がたつくことがさけられない。本考案の場合は、軟質ウレタンフィルムの弾力によって固定位置は、がたつくことなく固定されている。しかも、台紙に衝撃がかかった場合にも、軟質ウレタンフィルムの弾力によって衝撃を吸収するので、本考案のブリスター包装体を、箱に詰めて梱包配送する場合に、箱に緩衝材を詰める必要がない。
このような本考案の包装体は、台紙の窓穴に浮遊するように、収納固定され、台紙の表裏両面から明瞭に立体形状が視認されると共に、台紙にかかる衝撃を緩和することが可能である。
【００１０】
本考案に用いる台紙については特に制限はなく、従来ブリスター包装体の台紙として用いられている硬質の紙を使用することができる。例えばライナーや中心原紙などの段ボール原紙；白板紙、マニラボール紙、白ボール紙、黄ボール紙、コートボール紙、色板紙などの紙器用板紙；等の板紙、合成紙あるいは炭酸カルシウムを６５〜８５質量％程度含有するプラスチック合成紙を挙げることができる。
一方、本考案の包装体に用いる軟質ウレタンフィルムは、透明熱可塑性ポリウレタン製フィルムであって、透明性、強度、耐摩耗性、耐寒性などに優れると共に、良好な柔軟性、ゴム弾性、耐熱性、耐薬品性などを有している。また耐候性を向上させるために、酸化防止剤、紫外線吸収剤、光安定剤などを添加したものが好ましい。
当該軟質ウレタンフィルムの厚さに特に制限はなく、包装される商品の重さなどに応じて、強度と密着性の観点から適宜選定されるが、通常４０〜５００μｍ程度である。
また、本考案の包装体に収納固定される商品の種類に特に制限はなく、従来ブリスター包装に用いられている商品を使用することができる。当該商品としては、例えば電気電子部品、文房具、医薬品、化粧品、飲料、写真フィルム、乾電池、その他日用品などを挙げることができる。
【００１１】
次に、添付図面に従って、本考案の包装体及びその製造方法について説明する。
図１は、本考案の包装体の一例を示す平面図であり、図２は、上記平面図におけるＡ−Ａ線断面図である。
本考案ブリスター包装体は、商品１の形状に応じて設けられた所定形状の抜き穴部３を有する２枚の台紙シート２、２'を積層した積層台紙及び該積層台紙の積層面には、各台紙シートの積層面の全面にそれぞれ内張りした２枚の透明軟質ウレタンフィルム４が重合して設けられ、この結果、積層台紙は、台紙シート２／透明軟質ウレタンフィルム４／透明軟質ウレタンフィルム４／台紙シート２'の４層の積層構造となり、台紙シートの抜き穴部分では、透明軟質ウレタンフィルム４／透明軟質ウレタンフィルム４の２層構造となっている。
積層台紙の周縁及び抜き穴の周縁の４層積層構造は互いに固定されている。固定手段は接着材による貼着を用いることができるが、積層の外側からの熱圧着による熱溶着が特に望ましい。この熱圧着によって、台紙シート−透明軟質ウレタンフィルム及び透明軟質ウレタンフィルム同士の熱圧着を同時に施工できて、ブリスター包装体の製造工程が簡単になる。
【００１２】
本考案ブリスター包装体は、周縁及び抜き穴の周縁の熱溶着、特に、台紙シート全面の溶着によって、積層台紙の形状が安定して、腰がある形状が安定した堅い台紙となる。
本考案ブリスター包装体の商品は、図２に示すように、積層台紙の抜き穴部分の透明軟質ウレタンフィルム４／透明軟質ウレタンフィルム４の２層フィルムの間に収納される。
図２に示すように、２層フィルムの間に収納された商品１は、ブリスター包装体を垂直にして、吊り下げ穴７で吊り下げて陳列したときに、正面から見ると、図１の抜き穴部３を窓枠のようにして、まるで、商品１が宙に浮遊するように、保持される。
図１のブリスター包装体では、抜き穴部３の周辺部近傍５及び台紙シート２、２'の周端縁部近傍６における固定は外部からの熱圧着による熱溶着によって固定している。
この熱溶着においては、透明軟質ウレタンフィルム４同士が溶着すると共に該軟質ウレタンフィルム４は、台紙シート２、２'に密着する。したがって、本考案においては、軟質ウレタンフィルムを台紙に密着させるための接着剤特に必要としない。
なお、当該包装体１０には、吊下げ穴７及び商品の捕り多成分型触媒を容易にするための引裂き部（ミシン線）８が設けられている。吊下げ穴７の形状に特に制限はなく、図１で示すような円形状以外に、図３で示すような、（ａ）形状及び（ｂ）形状などを設けることができる。
【００１３】
本考案の包装体を製作する方法としては、前述したような構造を有する包装体が得られる方法であればよく、特に制限はないが、例えば下記に示す方法を用いることにより、効率よく本考案の包装体を製作することができる。
図４は、本考案の包装体を製作する方法の一例を示す説明図であって、まず一枚の方形状台紙シート１１の中心線に相当する位置に折線１２を設け、この折線１２に対して、対称の位置にそれぞれ同一形状の抜き穴部１３及び１３'を設けたのち、前記の抜き穴部１３及び１３'の双方を覆うように軟質ウレタンフィルムを台紙シート１１の全面に載置する。次に、包装される商品を、前記フィルムで覆われた抜き穴部１３上に配置し、次いで台紙シート１１を折線１２を介して二つ折りにすることにより該商品を挟持したのち、抜き穴部１３'の周辺部近傍の熱溶着部１４、１４'及び台紙の周端縁部近傍の熱溶着部１５を熱溶着する。最後に吊下げ穴（図１における符号７）及び引裂き部（図１における符号８）を設けることにより、本考案ブリスター包装体を製作することができる。
前記折線は、例えば台紙に押圧線を引いたり、薄肉溝を刻設する方法（いわゆるハーフカット）などにより設けることができる。当該包装体の製作においては、自動包装、半自動包装、手動包装のいずれも可能である。また熱シールには、インパルスシーラなどの熱溶着装置を用いることができる。全面溶着の場合は、抜き穴部分を欠落させた穴空き熱板を熱圧着して施工する。
【００１４】
このようにして製作された本考案の包装体は、収納固定された商品が小型である場合、通常店頭に吊下げ部を介して展示、陳列される。
また、該商品を梱包して配送する場合、以下に示すように、本考案の包装体を、配送用の段ボール箱内に装着して、緩衝材を用いることなく、配送することができる。
図５〜図７は、それぞれ収納固定される商品が比較的大きな本考案の包装体を、配送用段ボール箱内に装着する方法の一例を説明するための斜視図である。
図５のブリスター包装体２０は、前述した方法により製造された比較的大きな商品が収納固定されてなる本考案の包装体の一例の斜視図であって、透明軟質ウレタンフィルム２２で覆われた商品２１を収納固定しなる長方形状の積層台紙シート２３には、長手方向の対向する両端縁部に、突出して設けられている内側に折り曲げ可能な差し込み係止片２４及び２４'がある。
当該包装体を配送用段ボール箱内に取付けられた係止部に差し込むための内側に折り曲げた差し込み係止片２４及び２４'が示されている。
図６には、対向する二つの側壁の内側下部に取付けられている係止片を差し込む係止スリット部３１及び３１'（３１'は図示せず）を有し、かつ蓋部３２、３２'、３３及び３３'が開放された状態の段ボール箱３０の斜視図と、この段ボール箱３０における係止部３１及び３１'に差し込んで係止するための差し込み係止片２４及び２４'を有する本考案の包装体２０の斜視図が示されている。
図７における４０は、前記図６における蓋部が開放された段ボール箱３０の係止部３１及び３１'に、該図６における本考案の包装体２０の差し込み片２４及び２４'が差し込まれ、本考案の包装体２０が段ボール箱３０の略中間に位置するように係止された状態を示す。
この場合、包装体に収納固定される商品が、割れやすい瓶などであっても、緩衝材を詰込まずに配送が可能である。
【産業上の利用可能性】
【００１５】
本考案の包装体は、商品がしっかりと収納固定されると共に、台紙平面の抜き穴空間に収納商品が空中に浮遊するような状態で、立体的に把握できるので、ブリスター包装体による商品販売分野において有用である。
また、収納固定される商品が比較的大きく、かつ消費者に配送する場合、特定構造を有する本考案の包装体を製作し、かつ特定構造の段ボール箱内に該包装体を装着することにより、緩衝材を詰込まなくても配送が可能であり、梱包配送分野にも利用可能である。
【符号の説明】
【００１６】
１、２１  商品
２、２'、１１、２３  台紙シート
３、１３、１３'  抜き穴部
４、２２  透明軟質ウレタンフィルム
５、６、１４、１４'、１５  熱溶着部（熱シール部）
７  吊下げ穴
８  引裂き部（ミシン線）
１０、２０  包装体
１２  折線
２４、２４'  差し込み係止片
３０  段ボール箱
３１  係止スリット部
３２、３２'、３３、３３'  蓋部
４０  本考案の包装体を装着した段ボール箱の斜視図
【図１】
0003152834.tif 000003
【図２】
0003152834.tif 000004
【図３】
0003152834.tif 000005
【図４】
0003152834.tif 000006
【図５】
0003152834.tif 000007
【図６】
0003152834.tif 000008
【図７】
0003152834.tif 000009